(57)【要約】【課題】応札スイッチを有する応札装置において、コストをかけずに誤応札を防止することを目的とする。【解決手段】応札装置１は、外観が略円筒状に形成され左右対称に１ずつの応札スイッチ２と、外観が直方体に形成された応札端末装置３と、応札スイッチ２を応札端末装置３に固定する固定台４と、応札端末装置３の側面に左右対称につけられたスイッチガード５とを有する。スイッチガード５は、応札スイッチ２が応札端末装置３の固定台４に固定された向きを基準に、中央付近に開口を有する正面側の正面部５１と、応札端末装置３の側面側に固定される固定部５２と、底面側の遮へい部５３とを有し、平板の３枚を組み合わせた形状である。【選択図】図２
2020035656.tif 000002
【特許請求の範囲】
【請求項１】
せりの応札を受け付けるスイッチ部を有する応札スイッチと、
側面にねじ止め用穴を有する応札端末装置と、
前記応札スイッチを着脱可能に固定する固定台と、
前記応札端末装置の前記側面の前記ねじ止め用穴にねじで前記固定台と共に螺着されるスイッチガードと、
を備え、
前記スイッチガードは、前記応札端末装置の前記側面に固定される長方形状の板の固定部と、前記固定部の下方向の長辺側の端部に垂直に接続された長方形状の板の遮へい部と、中央に穴を有し、前記固定部または前記遮へい部の正面方向の短辺側の端部に垂直に接続される板の正面部と、を有する、
応札装置。
【請求項２】
せりの応札を受け付けるスイッチ部を有する応札スイッチと、
側面にねじ止め用穴を有する応札端末装置と、
前記応札スイッチを着脱可能に固定する固定台と、
前記応札端末装置の前記側面の前記ねじ止め用穴にねじで前記固定台と共に螺着されるスイッチガードと、
を備え、
前記スイッチガードは、前記応札端末装置の前記側面に固定される長方形状の板の固定部と、前記固定部の上方向の長辺側の端部に垂直に接続された長方形状の板の遮へい部と、中央に穴を有し、前記固定部または前記遮へい部の正面方向の短辺側の端部に垂直に接続される板の正面部と、を有する、
応札装置。
【発明の詳細な説明】
【技術分野】
【０００１】
本発明は、せり会場に設置されているシステムにおいて、せり端末構成品で、応札スイッチを有する応札装置に関する。
【背景技術】
【０００２】
中古車等のせり会場に設置されているシステムにおいては、応札端末装置と、カールコードで接続されて応札を受け付ける応札スイッチと、応札端末装置に固定されて応札スイッチを着脱可能に固定する固定台とで構成された応札装置が使われている。応札装置は、応札スイッチへの応札を受け付けて、応札端末装置がサーバへ応札入力を送信する形で使用される。
【０００３】
図５は、従来の応札装置の使用例を示した図で、（Ａ）はせり端末を正面から見た図であり、（Ｂ）はせり端末を底面から見た図である。例えば図５（Ａ）に示すように、応札席１００は、机１０１を利用して設けられ、せりにかけられる中古車等のデータが表示されるディスプレイ１０２、利用者の認証を行うＩＣ（Integrated Circuit）カードリーダ１０３、ＡＣ（Alternating Current）用のコンセント１０４および机１０１の天板の下に設置された入札用の応札装置１０５を二組有する。応札装置１０５は、ＩＣカードリーダ１０３により認証されることにより応札操作が可能となり、ディスプレイ１０２のせり情報の表示を確認しながら、応札を希望する場合に応札装置１０５へ応札することにより使用される。
【０００４】
一方、図５（Ｂ）に示すように、机１０１の天板の端部ぎりぎりに設置された応札装置１０５は、応札端末装置１０６と、応札端末装置１０６の側面に着脱可能に固定することができる応札スイッチ１０７とを有している。応札スイッチ１０７は、一方の先端に押下されることにより応札を受け付ける応札ボタン１０８を有している。このため、応札ボタン１０８が、机１０１の天板の上部より、応札端末装置１０６の正面側方向にはみ出して固定された場合は、応札ボタン１０８に腕や足が触れることにより、意図しない応札である誤応札が発生する可能性がある。
【０００５】
また応札装置１０５は、応札スイッチ１０７が応札端末装置１０６から取り外された状態でも、応札端末装置１０６に固定された状態でも応札を受け付ける。具体的に応札スイッチ１０７は、取り外した場合では、手で机１０１の下等に把持され親指で押下されることにより応札される。一方、応札端末装置１０６に固定された状態の応札スイッチ１０７は、机１０１の天板の下面側で、応札ボタン１０８を正面方向から指１０９，１１０，１１１のように押下される態様で使用される。このような使用態様は、応札を他のユーザに知られない目的がある。また、この応札スイッチ１０７による応札方法は、従来からの業界慣例であり、応札スイッチ１０７自体の変更は、ユーザに戸惑いを与える為に好ましくない。
【０００６】
このような点において、せり応札用の応札ユニットに接続され、応札を行うユーザが把持するグリップ部と、応札を行う際に押下するスイッチと、応札ユニットへのスイッチの押下を伝達する押下伝達機構を有する応札ボタンであって、グリップ部に備えられ、ユーザによるグリップ部の把持を検出する検出部と、押下伝達機構の伝達の有効状態と無効状態を切替える切替部材と、把持の検出に基づいて、切替部材を伝達の無効状態から有効状態に切替駆動させるよう駆動部に指示する制御部とを備えることにより、誤応札を防止する応札ユニットが知られている（例えば、特許文献１参照）。
【先行技術文献】
【特許文献】
【０００７】
【特許文献１】特開２０１７−１１１９２８号公報
【発明の概要】
【発明が解決しようとする課題】
【０００８】
しかし、特許文献１に記載の応札装置は、応札スイッチの機構が複雑になるのでコストが上昇する。
本発明は、このような点を鑑みてなされたものであり、応札スイッチを有する応札装置において、コストをかけずに誤応札を防止することを目的とする。
【課題を解決するための手段】
【０００９】
本発明の一観点によれば、せりの応札を受け付けるスイッチ部を有する応札スイッチと、側面にねじ止め用穴を有する応札端末装置と、応札スイッチを着脱可能に固定する固定台と、応札端末装置の側面のねじ止め用穴にねじで固定台と共に螺着されるスイッチガードと、を備え、スイッチガードは、応札端末装置の側面に固定される長方形状の板の固定部と、固定部の下方向の長辺側の端部に垂直に接続された長方形状の板の遮へい部と、中央に穴を有し、固定部または遮へい部の正面方向の短辺側の端部に垂直に接続される板の正面部と、を有する、応札装置が提供される。
【００１０】
また、本発明の一観点によれば、せりの応札を受け付けるスイッチ部を有する応札スイッチと、側面にねじ止め用穴を有する応札端末装置と、応札スイッチを着脱可能に固定する固定台と、応札端末装置の側面のねじ止め用穴にねじで固定台と共に螺着されるスイッチガードと、を備え、スイッチガードは、応札端末装置の側面に固定される長方形状の板の固定部と、固定部の上方向の長辺側の端部に垂直に接続された長方形状の板の遮へい部と、中央に穴を有し、固定部または遮へい部の正面方向の短辺側の端部に垂直に接続される板の正面部と、を有する、応札装置が提供される。
【発明の効果】
【００１１】
応札スイッチを有する応札装置において、応札装置が元より有するねじで、外付けのスイッチガードを応札端末装置に固定することにより、コストをかけずに腕や足による誤応札を防止することができるという効果がある。
【図面の簡単な説明】
【００１２】
【図１】第１の実施の形態に係る応札装置の一構成例を示す外観斜視図である。
【図２】第１の実施の形態に係る応札装置の一構成例を示す分解斜視図である。
【図３】第２の実施の形態に係る応札装置の一構成例を示す外観斜視図である。
【図４】第２の実施の形態に係る応札装置の一構成例を示す分解斜視図である。
【図５】従来の応札装置の使用例を示した図で、（Ａ）はせり端末を正面から見た図であり、（Ｂ）はせり端末を底面から見た図である。
【発明を実施するための形態】
【００１３】
［第１の実施の形態］
以下、本発明の第１の実施の形態について、図面を参照して詳細に説明する。図１は、第１の実施の形態に係る応札装置の一構成例を示す外観斜視図であり、図２は、第１の実施の形態に係る応札装置の一構成例を示す分解斜視図である。
【００１４】
応札装置１は、外観が略円筒状に形成され左右対称に１ずつの応札スイッチ２と、外観が直方体に形成された応札端末装置３と、応札スイッチ２を応札端末装置３の側面に固定する固定台４と、応札端末装置３の側面に左右対称につけられたスイッチガード５とを有する。応札スイッチ２と応札端末装置３とは、図示しないカールコードで接続されている。なお、応札装置１の外観上は、左右対称の構成をしており、左右両側で同じ構成については、基本的に応札端末装置３の正面側から見て右側を例にとり、向きを説明する際は、応札装置１の設置された際の正面を基準にして説明する。
【００１５】
応札スイッチ２は、一方の端部に押下されることにより応札を受け付けるスイッチ部２１を有する。スイッチ部２１は、クリック感のあるスイッチであり、押下された際に機械音を鳴らす。
【００１６】
応札端末装置３は、正面に応札後の確定をする際に押下される確認ボタン３１と、ＩＣカードの認証状況を表示する認証ランプ３２と、ＩＣカードの登録状況を表示する登録状況ランプ３３とを有する。また応札端末装置３は、応札スイッチ２と、確認ボタン３１とからの入力を受け付けて、応札の管理をするセンタへ送信する機能を有する。
【００１７】
確認ボタン３１は、応札スイッチ２より応札したせりについて、せり落とした場合に、押下されることによりせり落としを確定させる。また、確認ボタン３１は、せり落としを確定した際は、確認ボタン３１の脇のランプを点灯させる。なお、確認ボタン３１は、応札スイッチ２と同様に応札端末装置３の前面に左右対称に２つ備えられており、それぞれ別のせりに対応させることができる。固定台４は、応札端末装置３の側面に固定台ねじ４１で固定され、応札スイッチ２を着脱可能に固定する。
【００１８】
スイッチガード５は、応札スイッチ２が応札端末装置３に固定台４で固定された向きを基準に、中央付近に開口を有する正面側の正面部５１と、応札端末装置３の側面側に固定される固定部５２と、底面側の遮へい部５３とを有し、平板の３枚を組み合わせた形状である。具体的に３枚は、固定部５２を基準にして、固定部５２の下方向の長辺側の端部に垂直に遮へい部５３が接続し、固定部５２と遮へい部５３との正面方向の短辺側にそれぞれ垂直に正面部５１が接続する。
【００１９】
正面部５１は、応札スイッチ２が固定台４に固定された状態において、応札スイッチ２の正面側を覆う。正面部５１の開口は、応札スイッチ２が固定台４に固定された状態において、スイッチ部２１の正面に位置するように設けられる。固定部５２は、固定台ねじ４１により貫通されスイッチガード５を応札端末装置３に固定する。また固定部５２は、固定台４と固定台ねじ４１とを共用する。遮へい部５３は、応札スイッチ２の下側を覆う。
【００２０】
次に応札スイッチ２の使用態様を説明する。応札スイッチ２は、応札端末装置３から取り外した状態であっても、応札端末装置３へ固定した状態でも、応札を受け付けることができる。まず、応札スイッチ２が固定台４から取り外されて、手で把持されている場合の使用態様について説明する。応札スイッチ２は、指で押下されることにより応札される。
【００２１】
一方、応札スイッチ２が固定台４に固定されている場合の使用態様について説明する。スイッチ部２１は、正面側から正面部５１の開口を通してスイッチ部２１を指で押下されることにより応札される。スイッチ部２１は、腕や足の意図しない衝突があっても、スイッチガード５に衝突するために押下されない。また、応札スイッチ２は、奥側にずらして固定されることで、正面部５１の開口を使用しなくても、正面部５１の側面から指を入れてスイッチ部２１が押下される。但し、このスイッチガード５の取り付け方では、応札スイッチ２の下面側が遮へい部５３で覆われているため、応札スイッチ２の下面側から指を入れて、スイッチ部２１を押下することはできない。
【００２２】
上記のように、このような応札スイッチ２を有する応札装置１は、元より有する固定台ねじ４１で、外付けのスイッチガード５を応札端末装置３に固定することにより、コストをかけずに腕や足による誤応札を防止することができるという効果がある。また、スイッチガード５を外付けにすることで、既存の応札装置を改造し、応札スイッチ２への側面からの押下による応札方法にも対応することができる。
【００２３】
［第２の実施の形態］
図３は、第２の実施の形態に係る応札装置の一構成例を示す外観斜視図であり、図４は、第２の実施の形態に係る応札装置の一構成例を示す分解斜視図である。第２の実施の形態に係る応札装置１ａでは、第１の実施の形態のスイッチガード５と、スイッチガード５ａとの位置を左右で入れ替えている以外は、第１の実施の形態と同じ構成であるため、同じ構成については説明を省略する。第２の実施の形態では、左右に入れ替えたスイッチガード５とスイッチガード５ａとを、正面部５１を基準に右に１８０度回転した状態で、応札端末装置３に固定されている。このため、第１の実施の形態の説明の際と同様に、正面を基準に右側に固定されるスイッチガード５ａを基準に説明する。
【００２４】
スイッチガード５ａは、応札スイッチ２が応札端末装置３に固定台４で固定された向きを基準に、中央付近に開口を有する正面側の正面部５１ａと、応札端末装置３の側面側に固定される固定部５２ａと、底面側の遮へい部５３ａとを有し、平板の３枚を組み合わせた形状である。具体的に３枚は、固定部５２ａを基準にして、固定部５２の上方向の長辺側の端部に垂直に遮へい部５３ａが接続し、固定部５２ａと遮へい部５３ａとの正面方向の短辺側にそれぞれ垂直に正面部５１ａが接続する。
【００２５】
次に応札スイッチ２の使用態様を説明する。応札スイッチ２が固定台４に固定されていない場合の使用態様については、同様であるため、応札スイッチ２が固定台４に固定されている場合の使用態様について説明する。
【００２６】
スイッチ部２１は、正面側から正面部５１ａの開口を通してスイッチ部２１を指で押下されることにより応札される。スイッチ部２１は、腕や足の意図しない衝突があっても、スイッチガード５ａに衝突するために押下されない。また、応札スイッチ２は、奥側にずらして固定されることで、正面部５１の開口を使用しなくても、正面部５１の側面と下側とから指を入れてスイッチ部２１が押下される。応札スイッチ２は、下側からも押下できる点が第１の実施の形態と異なる。
【００２７】
このような応札スイッチ２を有する応札装置１ａは、コストをかけずに腕や足による誤応札を防止することができ、既存の応札装置を改造するという効果がある点は第１の実施の形態と同様である。また、スイッチガード５ａを有する応札装置１ａは、応札スイッチ２の下面側からの押下による従来の応札方法にも対応することができる。さらに、スイッチガード５ａを有する応札装置１ａは、遮へい部５３ａがない場合と比較して、スイッチガード５ａの強度を確保することができる。
【００２８】
なお、上記の第１の実施の形態と、第２の実施の形態とでは、スイッチガード５と、スイッチガード５ａとを共用できる構成としているが、スイッチガードの形状は、第１の実施の形態と第２の実施の形態とのいずれかに対応する態様であってもよい。また、正面部５１の開口の形状は、円形に限定されず、多角形であってもよい。さらに、スイッチガード５とスイッチガード５ａとは、応札端末装置３の前面部材を左右に延長し、応札スイッチ２が固定された際に、スイッチ部２１の正面に開口を設ける形状とするような実施の形態であってもよい。
【符号の説明】
【００２９】
１，１ａ  応札装置
２  応札スイッチ
３  応札端末装置
４  固定台
５，５ａ  スイッチガード
２１  スイッチ部
３１  確認ボタン
３２  認証ランプ
３３  登録状況ランプ
４１  固定台ねじ
５１，５１ａ  正面部
５２，５２ａ  固定部
５３，５３ａ  遮へい部
【図１】
2020035656.tif 000003
【図２】
2020035656.tif 000004
【図３】
2020035656.tif 000005
【図４】
2020035656.tif 000006
【図５】
2020035656.tif 000007